(57)【要約】  多機能医療用装置は、手持ち式操作用に構成されるハウジングと、該ハウジング内の処理ユニットと、該ハウジングの外表面上のコネクタとを含む。該コネクタは、該処理ユニットに連結され、複数の異なる種類の医療用センサと接続するように動作可能である。該処理ユニットは、該コネクタに連結された医療用センサの種類を決定するように構成される。
2014502172.tif 000002
【特許請求の範囲】
【請求項１】
多機能医療用装置であって、
手持ち式操作用に構成されるハウジングと、
前記ハウジング内の処理ユニットと、
前記ハウジングに連結され、前記処理ユニットと通信する第１の医療用センサであって、医療測定信号を生成するように動作可能である、第１の医療用センサと、
前記処理ユニットに連結され、複数の異なる種類の医療用センサに接続するように動作可能なコネクタであって、それぞれの種類の医療用センサが、対応する医療測定信号を生成するように動作可能である、コネクタと、
を備え、前記処理ユニットが、前記コネクタに接続された第２の医療用センサの種類を決定し、前記コネクタに接続された前記第１の医療用センサ及び前記第２の医療用センサから医療測定信号を受信し、ネットワークを介して前記受信された信号を伝送するように構成され、
前記第１の医療用センサ及び前記第２の医療用センサが、使用中に同時に動作可能である、多機能医療用装置。
【請求項２】
前記処理ユニットが、前記受信された信号を生成する前記医療用センサの前記対応する種類に基づき前記受信された信号を処理し、前記処理された信号に基づきデータパケットを作成し、ネットワークを介して前記データパケットを伝送するように構成される、請求項１に記載の多機能医療用装置。
【請求項３】
前記第１の医療用センサが、前記ハウジングの第１の端部に隣接して位置決めされた、聴診信号を感知する変換器を備える、請求項１に記載の多機能医療用装置。
【請求項４】
前記コネクタが、前記ハウジングの外表面上にあり、医療用センサに物理的に接続するように構成される、請求項１に記載の多機能医療用装置。
【請求項５】
前記第１の医療用センサが、検査カメラであり、前記ハウジングが、第１の端部及び前記第１の端部と反対側の第２の端部を有し、前記検査カメラが、前記ハウジングの前記第１の端部又は前記第２の端部の上に位置決めされる、請求項１に記載の多機能医療用装置。
【請求項６】
前記第１の医療用センサ及び前記第２の医療用センサが、聴診器、心電図検査用センサ、グルコース計測器、パルスオキシメーター、検査カメラ、血圧計、肺活量計、温度計、及び検眼鏡のうちの１つ以上を含む、請求項１〜５のいずれか一項に記載の多機能医療用装置。
【請求項７】
前記ハウジングの前記外表面の一部分上にユーザーインターフェースを更に備え、
前記ユーザーインターフェースの少なくとも一部分が、前記稼動中の医療用センサの種類に基づき医療用センサの種類の表示を示す、
請求項１〜５のいずれか一項に記載の多機能医療用装置。
【請求項８】
制御信号を生成するための制御ユニットを更に備え、前記ハウジングが、伸長された本体を有し、前記制御ユニットが、手持ち式の使用において、少なくとも部分的にアクセス可能であり、前記制御ユニットが、前記ハウジング内に位置し、前記処理ユニットに動作可能に接続された、加速度計、ジャイロスコープ、音声変換器、及び周辺光センサのうちの少なくとも１つを含む、請求項１〜５のいずれか一項に記載の多機能医療用装置。
【請求項９】
ユーザーインターフェースを更に備え、前記ユーザーインターフェースの構成が、前記制御信号に基づき変更される、請求項８に記載の多機能医療用装置。
【請求項１０】
多機能医療用装置であって、
手持ち式操作用に構成されるハウジングであって、外表面、伸長された本体、第１の端部、及び前記第１の端部と反対側の第２の端部を有する、ハウジングと、
前記ハウジング内の処理ユニットと、
前記ハウジングの前記第１の端部上に位置決めされた、前記処理ユニットに連結された検査カメラと、
前記ハウジングの外表面上のコネクタであって、前記コネクタが、前記処理ユニットに連結され、複数の異なる種類の医療用センサに接続するように動作可能であり、それぞれの種類の医療用センサが、対応する医療測定信号を生成するように動作可能である、コネクタと、
を備え、前記処理ユニットが、前記コネクタに接続された医療用センサの種類を決定し、前記コネクタに接続された前記検査カメラ及び前記医療用センサから医療測定信号を受信するように構成される、多機能医療用装置。
【請求項１１】
医療用装置であって、
手持ち式操作用に構成されるハウジングと、
医療用センサから生成された医療測定信号を受信するための通信ポートと、
前記医療測定信号を受信し、第１の安全な無線接続を介して前記医療測定信号を示す第１のデータを伝送するように構成される、前記ハウジング内のプロセッサと、を備える、医療用装置と、
ユーザーインターフェースを備える第１のコンパニオン装置であって、第２の安全な無線接続を介して前記医療用装置から前記第１のデータを受信し、前記第１のコンパニオン装置の前記ユーザーインターフェース上に前記第１のデータの表示を提示するように構成される、第１のコンパニオン装置と、
を備え、前記医療用装置が、前記医療用装置を登録し、認証する要求をサーバーに送信することができ、前記第１のコンパニオン装置が、前記第１のコンパニオン装置を登録し、認証する要求をサーバーに送信することができる、システム。
【請求項１２】
ユーザーインターフェースを備える第２のコンパニオン装置であって、前記医療用装置及び前記第１のコンパニオン装置のうちの少なくとも１つから伝送された第２のデータを受信し、前記第２のコンパニオン装置のユーザーインターフェース上に前記第２のデータの表示を提示するように構成される、第２のコンパニオン装置を更に備える、請求項１１に記載のシステム。
【請求項１３】
前記通信ポートが、前記ハウジングの前記外表面上にコネクタを備え、医療用センサに物理的に接続するように構成され、前記コネクタが、複数の異なる種類の医療用センサに接続するように動作可能である、請求項１１又は１２に記載のシステム。
【請求項１４】
前記医療用装置が、前記サーバー上で認証された前記第１のコンパニオン装置のみと通信するように構成される、請求項１１又は１２に記載のシステム。
【請求項１５】
医療用装置によって、医療測定信号を生成する工程と、
前記医療用装置によって、第１の安全な無線ネットワークを介して前記医療測定信号を示す第１のデータを伝送する工程と、
第１のコンパニオン装置によって、第２の安全な無線ネットワークを介して前記医療用装置から前記第１のデータを受信する工程と、
前記第１のコンパニオン装置によって、ユーザーインターフェース上に前記第１のデータの表示を提示する工程と、
サーバーによって、前記医療用装置から伝送された要求に基づき前記医療用装置を登録し、認証する工程と、
前記サーバーによって、前記第１のコンパニオン装置から伝送された要求に基づき前記第１のコンパニオン装置を登録し、認証する工程と、
を含む、方法。
【発明の詳細な説明】
【技術分野】
【０００１】
（関連出願の相互参照）
本出願は、米国特許仮出願第６１／３９４，０７６号及び米国特許仮出願第６１／３９４，０８３号（両方とも２０１０年１０月１８日出願）に対する優先権を主張するものであり、その開示は本明細書において参考としてその全体が組み込まれる。
【背景技術】
【０００２】
医療用装置は、人体の生命徴候を測定及び／又は人体を検査するために使用される。例えば、聴診器は一般的に、身体によって生成される心臓血管又は肺機能を表す音響信号を検出するために使用される。パルスオキシメーターは、患者の血液の酸素飽和度の間接測定を提供し、多くの場合、患者の心拍数を測定する。耳鏡は、病気をスクリーニングするために患者の外耳道を調べるために使用される。心電図検査（ＥＣＧ）は、経時的に心臓の電気的活動を監視する。内視鏡は、身体の中空器官又は空洞の内部を検査するために使用される器具である。
【０００３】
遠隔医療は、遠く離れて患者に医療診断及び治療を提供するように設計される。それは、患者が農村地域等の不十分な地域で保健医療にアクセスすることを可能にする。それはまた、保健医療を提供するための費用及び資源消費を低減させる。多様な医療用装置が、遠隔医療応用に使用するために開発されてきた。遠隔医療応用では、医療情報が医療用装置から収集され、遠隔相談、医学的検査、又は医療処置の目的で媒体通信網を通じて転送される。
【発明の概要】
【課題を解決するための手段】
【０００４】
一実施形態では、本発明と合致する多機能医療用装置は、手持ち式操作用に構成されるハウジングと、ハウジング内の処理ユニットと、医療測定信号を生成するための処理ユニットに連結された第１の医療用センサと、コネクタと、を含む。更に、コネクタは、処理ユニットに連結され、複数の異なる種類の医療用センサに接続するように動作可能であり、それぞれの種類の医療用センサは、対応する医療測定信号を生成するように動作可能である。処理ユニットは、コネクタに接続された第２の医療用センサの種類を決定し、コネクタに接続された第１の医療用センサ及び第２の医療用センサから医療測定信号を受信し、ネットワークを介して受信された信号を伝送するように構成される。第１の医療用センサ及び第２の医療用センサは、使用するとき同時に動作する。
【０００５】
別の実施形態では、多機能医療用装置は、手持ち式操作用に構成されるハウジングと、該ハウジング内の処理ユニットと、処理ユニットに連結された検査カメラと、コネクタと、を含む。該ハウジングは、第１の端部及び第１の端部と反対側の第２の端部を有する。検査カメラは、ハウジングの第１の端部の上に位置決めされる。コネクタは、ハウジングの外表面上である。更に、コネクタは、処理ユニットに連結され、複数の異なる種類の医療用センサに接続するように動作可能であり、それぞれの種類の医療用センサは、対応する医療測定信号を生成するように動作可能である。処理ユニットは、コネクタに接続された医療用センサの種類を決定し、コネクタに接続された検査カメラ及び医療用センサから医療測定信号を受信し、ネットワークを介して受信された信号を伝送するように構成される。
【図面の簡単な説明】
【０００６】
添付の図面は、本明細書に組み込まれて本明細書の一部をなすものであって、説明文と併せて本明細書の利点と原理を説明するものである。これらの図面では、
【図１ａ】多機能医療用装置の実施形態の説明。
【図１ｂ】多機能医療用装置の実施形態の斜視図。
【図２】遠隔医療コンパニオンシステムの実施形態の説明。
【図３】例示的多機能医療用装置のブロック図。
【図４】処理ユニットの例示的機能モジュール。
【図５】例示的多機能医療用装置の系統図。
【図６】多機能医療用装置の医療用センサ発見処理過程の例示的フローチャート。
【図７】多機能医療用装置の医療用センサ発見処理過程の例示的フローチャート。
【図８】例示的遠隔医療コンパニオンシステムの系統図。
【図９】例示的遠隔医療コンパニオンシステムの説明。
【図１０】遠隔医療コンパニオンシステムの例示的機能フローチャート。
【図１１】遠隔医療コンパニオンシステムの例示的機能フローチャート。
【図１２】遠隔医療コンパニオンシステムの例示的装置登録手順のフローチャート。
【図１３ａ】遠隔医療コンパニオンシステムの医療用センサ発見処理過程の例示的フローチャート。
【図１３ｂ】遠隔医療コンパニオンシステムの医療用センサ発見処理過程の例示的フローチャート。
【図１４】コンパニオン装置上のユーザーインターフェースの実施形態のスクリーンショット。
【図１５】コンパニオン装置上のユーザーインターフェースの実施形態のスクリーンショット。
【図１６】コンパニオン装置上のユーザーインターフェースの実施形態の別のスクリーンショット。
【発明を実施するための形態】
【０００７】
遠隔医療は、専門医が、第２の場所、多くの場合、遠隔地の患者に医療診断及び治療を提供することを可能にする。一般的に、患者は、看護人又は他の介添人により支援を受けられるが、ローカルの支援を受けずに専門医と交流を図る場合がある。そのような状況において、患者の適切な医学的検査を行い、安全かつ時宜に即し、専門医側に正確な医療測定データを供給し得る、患者側において持ち運び可能な医療用装置を提供することが非常に望ましい。本開示は、それに関連した恒久的に又は一時的に１つ以上の医療用センサからデータを収集し、安全なネットワークによって専門医側にデータを伝送し、様々な医療用センサの接続を可能にするオープンアーキテクチャを含む、多機能医療用装置を目的とする。
【０００８】
本明細書に使用されるように、医療用センサは、医学的検査、医療診断、又は医療手順に使用される装置である。例えば、医療用センサは、音響バイオセンサ、一組の心電図検査用電極、グルコース計測器、パルスオキシメーター、検査カメラ、血圧計、肺活量計、温度計、内視鏡、検眼鏡、耳鏡、及び同様のものであってもよい。医療測定信号は、収集され、又は１つ以上の医療用センサにより生成されたアナログ又はデジタル信号を参照する。そのような信号は、信号処理を経ても、経なくてもよい。
【０００９】
図１ａは、多機能医療用装置１００の実施形態を説明する。装置１００は、ハウジング１１０、コネクタ１２０、及びハウジング内に少なくとも部分的に配設される処理ユニット１３０を含む。本明細書に使用されるように、コネクタは、医療センサを含むが限定されない、異なる種類のセンサへの接続を提供するように動作可能である、センサインターフェースを参照する。装置１００は、処理ユニット１３０に連結された任意の医療用センサ１４０を有してもよい。
【００１０】
特定の実施形態では、ハウジング１１０は、人体と連動するように設計され、装置が人体と直接接触するか又は極めて接近してもよいことを意味する。いくつかの場合では、ハウジング１１０は、外表面１５０、伸長された本体１６０、第１の端部１７０、及び第２の端部１８０を有してもよい。伸長された本体１６０は、容易な手持ち式操作を提供する。いくつかの場合では、伸長された本体１６０は、追加の形状が手で把持可能な形状を有するものを含むが限定されないことを意図されるが、本質的に円筒状である。ハウジング１１０は、単一及び／又は密封されてもよい。ハウジングは、金属又はプラスチック等の密封可能かつ洗浄するのに容易な材料で実現されてもよい。いくつかの実施形態では、ハウジング１１０は、防水である。
【００１１】
コネクタ１２０は、ハウジングの外表面の上にあってもよい。いくつかの場合では、コネクタ１２０は、ハウジングの外表面とぴったり重なってもよく、装置１００を洗浄するのに容易かつ微生物増殖の影響を受けにくいようにする。そのような構成では、コネクタ１２０は、ハウジングの外表面から実質的に突出していないか凹んでいる。医療用センサ１９０は、コネクタ１２０への接続を確立するために使用されてもよいコネクタ例を説明する。コネクタ１２０が医療用センサと接続された時点で、処理ユニット１３０は、医療用センサの種類を自動的に認識するように構成される。いくつかの場合では、処理ユニットは、医療用センサの種類が認識された後、医療用センサの種類に適応可能なドライバをダウンロードしてもよい。
【００１２】
例示的実施形態では、医療用センサ１４０は、ハウジング１１０の第１の端部１７０又は第２の端部１８０で位置決めされてもよい。特定の実施形態では、医療用センサ１４０は、ハウジング１１０の第１又は第２の端部の上に位置決めされる医療用検査カメラである。本明細書に使用されるように、検査カメラ又は医療用検査カメラと呼ばれるものは、例えば、内視鏡、耳鏡、医療用赤外線カメラ等の医学的検査及び試験環境に使用され得る視覚化及び／又は画像形成装置である。別の実施形態では、医療用センサ１４０は、聴診音を検出するように構成される変換器を含む。
【００１３】
好ましい実施形態では、医療用装置１００ｂは、ハウジングの第１の端部に近接する医療用検査カメラ１１０ｂ及び図１ｂに説明されるように、ハウジングの第２の端部に近接する聴診音１５０ｂを検出する変換器を含む。医療用装置１１０ｂは、ハウジング１４０ｂ及びコネクタ１３０ｂを有する。いくつかの実施形態では、医療用装置１００ｂは、ユーザーインターフェース１２０ｂを含む。伸長された本体を有するため、本装置は、手持ち式に使用される間、ユーザーインターフェース１２０ｂが少なくとも部分的に可視的かつアクセス可能であるように設計されてもよい。装置１００ｂがカメラ１１０ｂを使用する検査のために使用されるとき、使用者は、ハウジングセクション１４０ｂの周囲の装置を一般的に把持し、カメラ１１０ｂを患者に向ける。本装置が使用されるとき、そのような構成では、ユーザーインターフェース１２０ｂが対向し、したがって使用者に可視的であり、使用者がユーザーインターフェース上の情報を見ることを可能にし、あるいはタッチスクリーンディスプレイで実現されるとき、使用者がユーザーインターフェースを介して命令を入力することを可能にする。また、制御情報を入力するためのボタン又はスイッチは一般的に、装置が使用されるとき、それらが使用者に対向し、容易にアクセス可能であるようにユーザーインターフェースとハウジングの同じ側面上に位置決めされる。
【００１４】
多機能医療用装置１００は、遠隔医療応用に好適な特徴を有する。第一に、コネクタ１２０は、多機能医療用装置１００が様々な種類の医学的検査を行うために容易に拡張されることを可能にする。第二に、コネクタ１２０に接続された医療用センサの種類の自動認識は、装置が最小限のトレーニングで使用されることを可能にする。第三に、装置１００の小さなフォームファクタは、持ち運び可能かつ使用しやすいものである。特に、本装置は好ましくは、手動で容易に使用されることを可能にするために十分に小さなフォームファクタを有する。第四に、装置１００は、洗浄及び消毒するのに容易であるフラッシュサーフェイスを有してもよい。多機能医療用装置１００が遠隔医療応用に好適であるが、臨床サービス環境に使用されてもよい。
【００１５】
遠隔医療応用の別の課題は、ネットワーク接続が頻繁に制限される広い地理的領域にわたる医療測定データの伝送である。多くの状況では、医療測定データは、専門医側に達するためにネットワークセキュリティファイアウォールを通じて伝送される必要がある。ネットワークファイアウォールは、イントラネットを出入りする不正な通信を阻止する。本開示は、実質的リアルタイムに医療測定データの確実な伝送を提供することができる遠隔医療コンパニオンシステムを説明する。図２は、遠隔医療コンパニオンシステム２００の実施形態を説明する。一実施形態では、遠隔医療コンパニオンシステム２００は、医療用装置２１０及びコンパニオン装置２２０を含む。医療用装置２１０及びコンパニオン装置２２０はそれぞれ、安全な無線ネットワークに接続され得る。一実施形態では、医療用装置は、無線機能を有する手持ち式医療用装置である。いくつかの実施形態では、医療用装置は、本開示に記載される多機能医療用装置である。
【００１６】
コンパニオン装置２２０は、安全な無線ネットワークを介して医療用装置２１０から医療測定信号を受信する。いくつかの場合では、コンパニオン装置は、医療用装置２１０に対するユーザーインターフェースを提供し得る。例えば、コンパニオン装置は、医療用装置によって生成された医療測定信号を示すためのディスプレイを有してもよい。コンパニオン装置２２０は、医療用装置２１０に対する制御を提供し、医療用装置２１０から受信されたデータを示すために医療用装置の種類に特有であるユーザーインターフェースをロードし得る。特定の実施形態では、コンパニオン装置２２０は、携帯電話である。いくつかの場合では、コンパニオン装置２２０は、安全な無線ネットワークを介して専門医側と接続される。いくつかの他の場合では、コンパニオン装置２２０は、患者側の介護者が質問し、指示を受け、遠隔地の専門医から意見を返すことを可能にしてもよい。いくつかの場合では、コンパニオン装置２２０は、専門医側で使用される。いくつかの実施形態では、医療用装置２１０及びコンパニオン装置２２０は、医療用装置２１０がコンパニオン装置２２０と通信できる前にサーバーによって登録され、承認される。いくつかの他の実施形態では、医療用装置２１０は、内部メモリ内に医療測定データを格納し、その後コンパニオン装置にデータを伝送することができ、これは以降、蓄積交換形態と呼ばれる。ネットワークが利用できず又は制限された帯域幅を有するとき、蓄積交換形態は、しばらく経ってからロバストなデータ伝送を可能にする。
【００１７】
いくつかの実施形態では、コンパニオン装置２２０は、例えば、携帯電話、多機能携帯電話、パーソナルデジタルアシスタント（ＰＤＡ）、ノートパソコン、タブレット型パーソナルコンピュータ（ＰＣ）等のモバイル機器であってもよい。モバイル機器は、広範囲に使用されるため、患者側の介護者は、新しいものを入手する代わりに入手可能なモバイル機器を使用してもよい。医療用装置２１０が患者と接触する前後に適切に消毒され得るように、コンパニオン装置２２０と異なる別個の医療用装置２１０を有することが多くの場合に望ましい。
【００１８】
好ましい実施形態では、医療用装置２１０及びコンパニオン装置２２０は、移動体通信ネットワーク、好ましくは安全な移動体通信ネットワークに接続される。いくつかの発展途上国では、固定電話の基板が老朽化し、不十分であるが、新たに設置した移動体通信ネットワークが大多数の農村地域及び村落に達し得る。したがって、遠隔医療コンパニオンシステム２００は、電気通信網が利用可能であるどこでも使用され得るが、それらの地域の遠く離れた専門医側に、確実な、高品質な、かつリアルタイムの医療データを伝送する低コストの手段を提供する。
【００１９】
移動体通信ネットワークは、陸地にわたって分配される無線ネットワーク（即ち、セル）であり、それぞれのセルが少なくとも１つの固定場所の送受信機によって供給されるものである。移動体通信ネットワークは、ＣＤＭＡ、ＧＳＭ、３Ｇ、４Ｇネットワーク、及びあらゆる移動体通信ネットワークを包含する。移動体通信接続は、医療用装置２１０とコンパニオン装置２２０とが物理的に接続され、Ｂｌｕｅｔｏｏｔｈ技術により必要とされるような短距離内に、又は短距離無線インターフェースのための無線アクセスポイントにより網羅される地域に必要としない場合、医療用装置２１０とコンパニオン装置２２０とをアンテザードにすることを可能にする。更に、移動体通信接続は、ファイアウォールにわたって通信を提供する。例えば、コンパニオン装置２２０が医療施設のファイアウォール内のサーバーに医学的検査データを伝送してもよい。更に、移動体通信接続は、住まい、診療所、救急車、又は病院を含むが限定されない複数の場所で同様の使用者体験を可能にする。移動体通信接続は、患者が輸送される間、医療用装置２１０によって収集された患者の健康状態を提供することができる。更に、安全な移動体通信接続は、患者データ及び情報の守秘権を維持する。要するに、移動体通信接続の使用は、広く使用され、ロバストな、安全な、かつ高帯域幅の通信チャネルを提供する。
【００２０】
多機能統合医療用装置
図３は、例示的多機能医療用装置３００のブロック図である。多機能医療用装置３００は、処理ユニット３１０、コネクタ３２０、及び電源ユニット３３０を有する。任意に、多機能医療用装置３００は、医療用センサ３４０、制御ユニット３５０、及びユーザーインターフェース３６０を有してもよい。医療用センサ３４０は、処理ユニット３１０に電気的に連結され得る。いくつかの実施形態では、コネクタ３２０は、有線接続、無線接続、又は様々な種類の医療用センサの両方の種類の接続を可能にするように構成される。いくつかの実施形態では、コネクタ３２０は、アナログ及びデジタル信号を受信するように構成される。更に、コネクタ３２０は、患者の健康状態及び／又は患者側の環境データに関して情報を提供するための周辺機器と接続されてもよい。周辺機器は、例えば、計器、歩数計、投薬モニタ、一酸化炭素検出器、煙探知器、火災検知器、病床利用率センサ、及び同様のものであってもよい。
【００２１】
例示的実施形態では、コネクタ３２０は、物理的接続を提供するためにアナログ信号の一組の接続チャネル及びデジタル信号の一組の接続チャネルを含む。例えば、コネクタ３２０は、４つのアナログポート及び４つのデジタルポートを有する８ピンコネクタであってもよい。別の例示の的実施形態では、コネクタ３２０は、接続される医療用センサの種類に従ってピン構成を内部で再配置してもよい。コネクタ３２０はまた、センサに電力を供給してもよい。いくつかの場合では、コネクタ３２０は、この装置に対する電力入力、及び付着センサ、センサデータ入力に対する電力出力の接続チャネルを含んでよい。いくつかの場合では、コネクタ３２０は、センサ識別入力及び／又はセンサ制御出力の接続チャネルを更に含んでよい。
【００２２】
いくつかの実施形態では、コネクタ３２０に接続された医療用センサ３４０及び１つ以上の追加の医療用センサが同時に動作してもよい。本明細書に使用されるように、同時に動作することは、２つ以上のセンサが、多重化、一時的なオーバーラップ、又はサンプリングを使用するような秩序逐次的方法で、同時に医療測定信号を生成し得ることである。いくつかの実施形態では、コネクタ３２０は、同時に動作する１つ以上の医療用センサへの無線接続を提供してもよい。いくつかの実施形態では、追加の医療用センサがコネクタと接続された後、処理ユニット３１０は、ドライバが追加の医療用センサをサポートするために必要とされる場合、ネットワークを介して追加の医療用センサに対応するドライバをダウンロードしてもよい。
【００２３】
好ましい実施形態では、多機能医療用装置３００は、再充電可能である。電源ユニット３３０は、１つ以上の再充電可能な電池を含んでよい。しかし、いくつかの場合では、電源ユニット３３０は、１つ以上の使い捨て電池を含み得る。いくつかの場合では、コネクタ３２０は、電源ユニット３３０に充電を提供するために電源に接続され得る。いくつかの他の場合では、電源ユニット３３０は、充電のための外部電源に接続するために専用のポートを有し得る。特定の実施形態では、全ての関連する医療用センサは、外部電源への接続が確立されるとき、動作不能にされる。
【００２４】
いくつかの実施形態では、多機能医療用装置３００は、制御情報の生成に使用するための制御ユニット３５０を含む。制御ユニット３５０は、装置動作の態様を制御するために多数の制御要素（例えば、ボタン、スイッチ）を含んでよい。例えば、制御要素は、音量、利得制御スイッチ、又はモード選択スイッチを含んでよい。いくつかの実施形態では、制御ユニット３５０は、多機能医療用装置３００の動作状態を検出するための１つ以上のセンサを含んでよい。例えば、制御ユニット３５０は、加速度計、ジャイロスコープ、音声変換器、周辺光センサ、及び触覚センサのうちの少なくとも１つを含んでよい。いくつかの場合では、制御ユニット３５０のうちの少なくとも一部は、ハウジング内に配設されてもよい。いくつかの場合では、制御ユニット３５０は、識別読取り器を含んでよい。例えば、識別読取り器は、ＲＦＩＤ読取り器、デジタル識別読取り器、指紋センサ、バーコード読取り器、又は同様のものであってもよい。いくつかの場合では、制御ユニット３５０は、キーボード等の任意の従来の入力装置を含んでよい。
【００２５】
一実施形態では、制御ユニット３５０は、地理的な関連情報（例えば、場所）を決定するためのＧＰＳユニットを含んでよい。処理ユニットは、ＧＰＳユニットから地理的な関連情報を受信し、ネットワークを介して地理的な関連情報を伝送し得る。いくつかの場合、患者側の地理的な関連情報は、緊急の医学的状態の場合には、最も近い病院を決定するのに有用であってもよい。更に、無線ネットワークを介したＧＰＳと処理ユニットとコンパニオン装置との間の連携により、失われた又は誤った多機能装置を位置特定することの支援を行うことができる。
【００２６】
ユーザーインターフェース３６０は、多機能医療用装置３００の別の任意の構成要素である。ユーザーインターフェース３６０は、多数のモード及び／又は状態表示器を含んでよい。表示器は、選択されたフィルタモード、電池状態、通信リンク状態、又は他の情報を表示してもよい。そのような通信リンク状態表示は、処理ユニット３１０によって行われるエラー検出（例えば、巡回冗長検査（ＣＲＣ））に基づいてもよい。好ましい実施形態では、エラー発生及びそれがないことを示す状態が報告される。
【００２７】
ユーザーインターフェース３６０は、手持ち式装置上の設置に好適なディスプレイを含んでよい。例として、ディスプレイは、ＬＣＤディスプレイであってもよい。いくつかの実施形態では、ユーザーインターフェースは、複数のディスプレイを含む。ユーザーインターフェース３６０は、装置の状態、稼動中の医療用センサの種類、及び／又はディスプレイの上の受信された信号を示してもよい。いくつかの実施形態では、ユーザーインターフェース３６０は、タッチセンサ式ディスプレイを含んでよい。そのような構成では、制御ユニット３５０は、同様のタッチセンサ式ディスプレイを含んでよい。
【００２８】
特定の実施形態では、多機能医療用装置３００は、伸長された本体を有し、装置３００が手持ち式に使用される間、ユーザーインターフェース３６０が少なくとも部分的に見ることができ、及び／又は制御ユニット３５０が少なくとも部分的にアクセス可能であるように、装置３００が設計される。そのような構成では、使用者が患者を検査する間、使用者は、装置３００の構成を調整してもよい。
【００２９】
いくつかの実施形態では、制御ユニット３５０の入力又は処理ユニット３１０に連結される稼動中の医療用センサの種類に基づき、制御ユニット３５０を含むが限定されない多機能医療用装置の構成、及び／又はユーザーインターフェース３６０の構成が変更されてもよい。ここで、稼動中の医療用センサは、処理ユニットに信号を伝送する医療用センサを参照する。例として、稼動中の医療用センサが音響センサから検査カメラに変更されるとき、装置上のスイッチは、音量調節からズーム制御に変更される。別の例として、保持されている装置３００の向きが変更されるとき、ディスプレイの向きが結果的にかつ自動的に変更されてもよい。装置３００の向き及び動作合図（即ち、内部加速度計からの信号）は、装置３００が使用されている方法を表示してもよい。例えば、装置３００は、軽くたたくこと又は揺することによりスイッチが入れられるか又は待機モードから起こされてもよい。
【００３０】
ユーザーインターフェース３６０は、装置３００を使用する方法に従って変更されてもよい。いくつかの実施形態では、ユーザーインターフェース３６０は、タッチセンサ式ディスプレイを含み、タッチセンサ式ディスプレイは、制御ユニット３５０の入力及び／又は処理ユニット３１０に連結された稼動中の医療用センサの種類に従って再配置される。本明細書に使用されるように、再配置されるタッチセンサ式ディスプレイは、最初の構成、異なる一組の制御構成要素（例えば、ボタン、チェックボックス等）、及び提示構成要素（例えば、テキストボックス、画像等）と比較される場合、ディスプレイを含み、及び／又はスクリーン上に別に制御及び提示構成要素を配置することを意味する。
【００３１】
例示的実施形態では、多機能医療用装置３００は、装置ハウジングの第１の端部で位置決めされる、耳鏡、内視鏡等の検査カメラを含み得る。多機能医療用装置３００が直立に保持され、検査カメラが上部で位置決めされるとき、多機能医療用装置３００は、制御ユニット３５０及び／又はユーザーインターフェース３６０が結果的に動作するように構成され得る場合、医療用画像形成モードに自動的に変更され得る。例えば、制御ユニット３５０は、検査カメラのズーミングを制御するように構成され得る。別の例として、ユーザーインターフェース３６０は、適切な提示構成要素を提供し、及び／又は適切な向きに画像を示すように、構成され得る。
【００３２】
別の例示的実施形態では、多機能医療用装置３００は、装置ハウジングの第２の端部で変換器を封入する胸部部分を含み得る。多機能医療用装置３００が直立に保持され、胸部部分が装置の上部で位置決めされるとき、多機能医療用装置３００は、制御ユニット３５０及び／又はユーザーインターフェース３６０が結果的に動作するように構成され得る場合、医療用聴診モードに自動的に変更され得る。例えば、制御ユニット３５０は、変換器によって生成された信号の増幅を制御するように構成され得る。別の例として、ユーザーインターフェース３６０は、適切な提示構成要素を提供し、及び／又は適切な向きに画像を示すように構成され得る。
【００３３】
処理ユニット３１０は、１つ以上のマイクロプロセッサ、デジタル信号プロセッサ、プロセッサ、ＰＩＣ（Ｐｒｏｇｒａｍｍａｂｌｅ  Ｉｎｔｅｒｆａｃｅ  Ｃｏｎｔｒｏｌｌｅｒ）、マイクロコントローラ、又はその他の形態の計算ユニットを含んでよい。例えば、処理ユニット３１０は、Ｑｕａｌｃｏｍｍ  ＷＭＤ  ６０５５  Ｍｏｄｕｌｅ、Ｔｅｘａｓ  Ｉｎｓｔｒｕｍｅｎｔｓ  ＯＭＡＰ３５３０、Ｓａｍｓｕｎｇ  Ｓ５ＰＣ１１０、又はＱｕａｌｃｏｍｍ  Ｓｎａｐｄｒａｇｏｎ  Ｐｌａｔｆｏｒｍ  Ｃｈｉｐｓｅｔｓのうちの１つによって実現されてもよい。処理ユニット３１０は、連結された医療用センサ３４０又はコネクタ３２０に接続された１つ以上の医療用センサのいずれかからの信号を受信する。受信された信号は、例えば、デジタルストリーミング信号、デジタル離散的信号、アナログストリーミング信号、又はアナログ量であってもよい。
【００３４】
処理ユニットは、単純なものから複雑なものまで多様な機能を行うように構成されてもよい。図４は、処理ユニット４００に含まれ得るいくつかの例示的機能モジュールを説明する。いくつかの場合では、処理ユニット４００は、受信された信号を増幅するための増幅モジュール４１０を有し得る。いくつかの場合では、処理ユニット４００は、受信された信号の品質を改良するためにアナログ及び／又はデジタルフィルタリングを行うためのフィルタリングモジュール４２０を有し得る。いくつかの場合では、処理ユニット４００は、受信された信号に比較的高度な解析を行うためのデジタル信号処理モジュール４４０を有し得る。例えば、デジタル信号処理モジュール４４０は、患者の格納されたプロファイルでプロファイルマッチングを行い、診断報告を生成してもよい。
【００３５】
いくつかの場合では、処理ユニット４００は、受信された信号を医療測定信号の正確かつ忠実な再生のためのデジタル信号に変換し得る。例えば、音響バイオセンサが患者の体内音を収集する処理ユニットと連結されるとき、処理ユニット４００は、受信された信号を体内音の正確かつ忠実な再生のための音響信号に変換し得る。いくつかの実施形態では、処理ユニット４００は、米国特許第６，１３４，３３１号、表題「Ｅｌｅｃｔｒｏｎｉｃ  Ｓｔｅｔｈｏｓｃｏｐｅ」、米国特許第７，００６，６３８号、表題「Ｅｌｅｃｔｒｏｎｉｃ  Ｓｔｅｔｈｏｓｃｏｐｅ」、及び／又は米国特許第７，１３０，４２９号、表題「Ｍｅｔｈｏｄ  ａｎｄ  ａｎ  Ａｐｐａｒａｔｕｓ  ｆｏｒ  Ｐｒｏｃｅｓｓｉｎｇ  Ａｕｓｃｕｌｔａｔｉｏｎ  Ｓｉｇｎａｌｓ」に記載されるように、音響信号を生成するように構成され、それらの全体がそれぞれ参照により本明細書に組み込まれる。
【００３６】
いくつかの場合では、受信された信号が画像であるとき、デジタル信号処理モジュール４４０は、受信された信号に対する画像処理を行い得る。例えば、検査カメラが処理ユニット４００と連結されるとき、デジタル信号処理モジュール４４０は、受信された画像にパターン認識を行い、受信された画像を好適なサイズに圧縮し得る。いくつかの場合では、デジタル信号処理モジュール４４０は、受信された信号又は他のモジュールによって生成された処理されたデータをパケット化し得る。いくつかの場合では、デジタル信号処理モジュール４４０は、検査カメラ光学の自動焦点を容易にし得る。
【００３７】
いくつかの実施形態では、処理ユニット４００は、受信された信号及び／又は処理ユニット４００内の他のモジュールによって生成された処理されたデータを、格納するためのデータ格納モジュール４５０を有し得る。いくつかの場合では、データ格納モジュール４５０は、使用者が音声トラック、生理学的信号、構成選択、又は他のデータを格納することができる。データ格納モジュール４５０は、多機能医療用装置が音声命令に反応して修正され得るように、医療用装置の使用者又は所有者を認識するための音声認識データ、及び音声命令を認識するための会話認識データを更に含んでよい。会話認識音声命令はまた、音声トラック、体内音、又は他の記録若しくはファイルを、患者の医療記録へ転送するために使用されてもよい。いくつかの実施形態では、例えば米国特許第７，４４４，２８５号（Ｆｏｒｂｅｓ）に記載されるように、多機能医療用装置は、音声信号の内容を記録又は他のデータファイル（例えば、患者の医療記録）に転記するように構成される。
【００３８】
一実施形態では、処理ユニット４００は、ネットワークを介して信号を受信及び伝送するための通信モジュール４６０を含んでよい。通信モジュール４６０から伝送された信号は、例えば、稼動中の医療用センサから受信された信号、受信された信号に基づく処理されたデータ、又はデジタル信号処理モジュール４４０によって生成されるデータパケットであってもよい。通信モジュール４６０は、コンパニオン装置からの命令を受信し得る。本明細書に使用されるように、命令は、装置構成を変更するための命令、装置の動作を変更するための命令、データの要求、又は同様のものであってもよい。ネットワークが利用できないとき、処理ユニット４００は、データ格納モジュール４５０内に伝送されるデータを格納してもよい。処理ユニット４００は後で、ネットワークが利用可能のとき、通信モジュール４６０を介してデータを伝送してもよい。更に、処理ユニット４００は、伝送中又は専門医側若しくはコンパニオン装置からの要求に応じてデータが失われる場合、データ格納モジュール４５０内に保存されたデータを再伝送してもよい。処理ユニット４００は、受信命令に従って多機能医療用装置の構成を修正してもよい。例えば、処理ユニット４００は、受信命令に従ってユーザーインターフェースの構成を変更してもよい。別の例として、ユーザーインターフェースは、心拍数を表示することから受信されたＥＣＧ信号に基づく波形を表示することに変更されてもよい。いくつかの実施形態では、処理ユニット４００は、通信モジュール４６０を介してネットワークからソフトウェア更新パッケージをダウンロードすることができる。
【００３９】
図５は、装置１００の例示的構成要素を説明する例示的多機能医療用装置５００の系統図である。多機能医療用装置は、医療用センサからデータを受信し、医療用センサに命令を送信するための医療用センサインターフェース５３０を含む。医療用センサインターフェース５３０は、自在外部コネクタ５３５を含むことができ、多機能医療用装置５００の本体内に位置しない医療用センサの接続を可能にする。医療用センサインターフェース５３０はまた、装置５００のハウジング内に少なくとも部分的に恒久的センサの接続を可能にする恒久的内部センサインターフェース５３７を含んでもよい。多機能医療用装置５００は、医療用センサインターフェース５３０を介して伝送された医療測定データを受信し、自在外部コネクタ５３５又は恒久的内部センサインターフェース５３７を介して接続された１つ以上のセンサに命令を送信する処理ユニット５１０を含む。処理ユニットは、伝送のためのデータを構成するための中央処理ユニット（ＣＰＵ）５２０及びデータを格納するためのメモリ５２５を含み得る。いくつかの場合では、処理ユニットは、受信した医療測定信号に信号処理を行うためのデジタル信号プロセッサ（ＤＳＰ）５１５、及び／又は表示内容を生成するための画像形成プロセッサ５２７を更に含み得る。
【００４０】
多機能医療用装置５００は、電源を供給するための電力管理ユニット５５０を含む。電力管理ユニットは、再充電可能な電池５５５及び充電電子機器５５７を含み得る。いくつかの場合では、充電電子機器は、電源と接続するための自在外部コネクタ５３５を使用し得る。いくつかの他の場合では、充電電子機器は、電源と接続するための別個のコネクタ（図示せず）を使用してもよい。
【００４１】
多機能医療用装置５００は、データを伝送及び受信するための通信ユニット５９０を更に含み得る。通信ユニット５９０は、Ｂｌｕｅｔｏｏｔｈ規格、ＩＥＥＥ  ８０２規格（例えばＩＥＥＥ  ８０２．１１）、ＺｉｇＢｅｅ若しくはＩＥＥＥ  ８０２．１５．４規格に基づいた類似の仕様、又は他の周知の若しくは特殊な無線プロトコルを始めとする既知の通信規格に適合するインターフェースなどの短距離無線通信インターフェースのうちの１つ以上を提供するための電子機器を含んでよい。通信ユニット５９０は、移動体通信ネットワークインターフェース、衛星通信インターフェース等の長距離無線通信インターフェースのうちの１つ以上を供給するための電子機器を含んでもよい。医療用センサが自在外部コネクタに接続され、医療用センサが、医療用装置５００によって現在サポートされていないように中央処理ユニット５２０によって識別される場合、中央処理ユニット５２０は、通信ユニット５９０を通じてドライバのダウンロードを要求してもよい。いくつかの場合では、装置５００は、通信ユニット５９０から命令を受信し、装置５００の構成を修正し、あるいは使用中の医療用センサに命令を送信し得る。
【００４２】
多機能医療用装置５００は、ユーザーインターフェース５６０を任意に含んでよい。いくつかの場合では、ユーザーインターフェース５６０は、ＬＥＤ  ５６７等の１つ以上のＬＥＤ、装置５００の状態を表示するための他の種類の表示器、又は装置５００の構成を、含んでよい。例えば、電池５５５が電力容量で低いとき、ＬＥＤは、黄色の点滅信号を示してもよい。いくつかの場合では、ユーザーインターフェース５６０は、装置５００の状態、装置５００の構成、又は数若しくは波形形式で処理ユニット５１０によって受信され及び／若しくは処理された現在のデータを表示するためのＬＣＤディスプレイ５６５、タッチスクリーン５７０、又は他の種類のディスプレイを含み得る。そのような構成では、画像形成プロセッサ５２７は、ユーザーインターフェース５６０に表示するための表示内容を構成し得る。
【００４３】
いくつかの場合では、多機能医療用装置５００は、制御ユニット５８０を含み得る。いくつかの場合では、制御ユニット５８０は、装置５００の構成を調整するためのボタン又はスイッチ５７５を含んでよい。いくつかの場合では、制御ユニット５８０は、ユーザー入力／命令を受け取るためのタッチスクリーン５７０を含んでよい。任意に、多機能医療用装置５００は、ハウジング内に配設される内部センサ５４０を含んでよい。内部センサ５４０は、例として、加速度計５４５及び／又はＧＰＳユニット５４７を含んでよい。内部センサ５４０によって収集された信号は、信号品質を改良し、信号から望ましいデータを抽出するためのデジタル信号プロセッサ５１５に伝送されてもよい。処理されたデータは、装置５００の構成を変更し、又は装置５００の機能する状態に関する情報を提供するための通信ユニット５９０を介して伝送するために中央処理ユニット５２０によって使用されてもよい。例えば、機能する状態は、ＧＰＳユニット５４７によって生成された信号に基づき決定される装置の場所であってもよい。
【００４４】
センサが初めに多機能医療用装置と接続されるとき、装置は、センサ種類及び／又はセンサＩＤを決定するために必要であり、センサ発見処理過程と呼ばれる。図６は、多機能医療用装置の例示的センサ発見処理過程を説明する。初めに、医療用センサ識別が読み取られる（工程６１０）。ここで、医療用センサ識別は、医療用センサの種類、又は医療用センサ自体を独自に識別してもよい。いくつかの場合では、医療用センサがコネクタと接続されるとき、医療用センサ識別は、初めにコネクタに送信され、処理ユニットによって読み取られてもよい。いくつかの場合では、医療用センサ識別は、制御ユニットの構成要素のうちの１つによって読み取られてもよい。例えば、ＲＦＩＤタグは、医療用センサに付着され、制御ユニットのＲＦＩＤ読取り器によって読み取られてもよい。いくつかの場合では、医療用センサ識別は、コネクタの専用のピンを介して読み取られてもよい。医療用センサ識別が読み取られた後、処理ユニットは、識別に従って医療用センサの種類を決定してもよい（工程６２０）。次に、処理ユニットは、医療用センサ種類情報に従って多機能装置の構成を修正し得る（工程６３０）。いくつかの場合では、処理ユニットは、必要に応じて医療用センサのドライバをダウンロードしてもよい。
【００４５】
図７は、多機能医療用装置の別の例示的センサ発見処理過程である。第一に、医療用センサは、多機能医療用装置の上の外部コネクタに接続される（工程７１０）。第二に、多機能医療用装置は、接続された医療用センサの識別情報を要求する（工程７１５）。次に、医療用センサは、識別情報を伝送することによって反応する（工程７２０）。医療用センサの識別情報に基づき、多機能医療用装置は、医療用センサがサポートされるか決定する（工程７２５）。センサがサポートされていない場合、装置は、センサが、例えば、状態表示器を変更することによってサポートされていないこと（工程７３０）を使用者に通知する場合がある。次に、装置がサポートされていない場合、装置は、医療用センサのドライバが装置のメモリ内に利用可能か決定する（工程７３５）。ドライバが利用できない場合、装置は、接続されたネットワークを介して医療用センサのドライバをダウンロードする（工程７４０）。ドライバが利用可能である場合、装置は、医療用センサをサポートするために内部メモリからドライバをロードする（工程７４５）。更に、医療用装置は、センサをサポートするための構成を修正する（工程７５０）。例えば、ディスプレイ構成は、接続された医療用センサの種類に従って修正されてもよい。
【００４６】
遠隔医療コンパニオンシステム
図８は、遠隔医療コンパニオンシステム８００の実施形態の系統図である。患者側において、医療用装置８２０及びローカルコンパニオン装置８３０は、遠隔医療コンパニオンシステム８００に含まれ得る。医療用装置８２０は、無線機能を有する手持ち式医療用装置であってもよい。いくつかの場合では、医療用装置８２０は、本開示に記載される多機能医療用装置であり得る。いくつかの他の場合では、医療用装置８２０は、「Ｍｏｄｕｌａｒ  Ｅｌｅｃｔｒｏｎｉｃ  Ｂｉｏｓｅｎｓｏｒ  ｗｉｔｈ  Ｉｎｔｅｒｆａｃｅ  ｆｏｒ  Ｒｅｃｅｉｖｉｎｇ  Ｄｉｓｐａｒａｔｅ  Ｍｏｄｕｌｅｓ」と題する、米国特許公開第２０１０−００５６９５６号に記載されたモジュール聴診器である場合があり、全体として参照により本明細書に組み込まれる。
【００４７】
コンパニオン装置は、ユーザーインターフェースを有する無線機器対応の装置であってもよい。例えば、コンパニオン装置は、多機能携帯電話、タブレット型パーソナルコンピュータ（ＰＣ）、ノートパソコン、コンピュータ、又はパーソナルデジタルアシスタント（ＰＤＡ）であってもよい。ローカルコンパニオン装置８３０は、医療用装置８２０によって生成される医療測定データを受信し、ユーザーインターフェースに医療測定データの表示を提示し得る。いくつかの場合では、ローカルコンパニオン装置８３０は、ユーザーインターフェースを介してユーザー命令を受け取り、医療用装置８２０に命令を送信し得る。いくつかの実施形態では、ローカルコンパニオン装置８３０は、受信した医療測定データに対する信号処理及び解析を行い、解析結果を専門医側に伝送し得る。例えば、検査カメラは、５ｃｍ×５ｃｍサイズの皮膚画像を撮り、１ｃｍ×１ｃｍの画像の一部分が対象であるが、ローカルコンパニオン装置８３０は、画像を伝送する前に手動又は自動的に対象の部分に対して画像を切り取ってもよい。いくつかの実施形態では、患者側で同時に使用される複数の医療用装置は、ローカルコンパニオン装置に結合される。好ましい実施形態では、ローカルコンパニオン装置８３０は、受信した医療測定データ及び／又は処理されているデータ及び／又は内部メモリ内の解析結果を格納してもよい。無線接続が一時的に失われる場合、ローカルコンパニオン装置８３０は、例えばタイムスタンプ又は他の順序表示器を有する、内部メモリ内の格納データを標識化してもよい。無線接続が後で確立されるとき、ローカルコンパニオン装置８３０は、無線接続を介して内部メモリ内の標識化データを伝送してもよい。
【００４８】
いくつかの場合では、ローカルコンパニオン装置は、医療用装置８２０が稼動中であるとき、医療用装置８２０の特定の機能性をサポートするように設計されるソフトウェアをロードしてもよい。いくつかの他の場合では、医療用装置８２０は、複数の種類のセンサを使用し得る場合、ローカルコンパニオン装置は、ソフトウェアをロードするか、あるいは医療用装置８２０によって使用されている稼動中のセンサをサポートする（即ち、センサによって取得されたデータを処理すること、データを提示すること等）ためのソフトウェアの構成を変更してもよい。いくつかの場合では、ローカルコンパニオン装置８３０は、医療用装置８２０から受信された装置情報に基づきユーザーインターフェースの構成を修正してもよい。いくつかの場合では、ローカルコンパニオン装置８３０は、ソフトウェアがローカルコンパニオン装置８３０に設置されない場合、装置特定的ソフトウェアを自動的にダウンロードしてもよい。
【００４９】
いくつかの実施形態では、遠隔医療コンパニオンシステムは、専門医側のリモートコンパニオン装置８６０を含み得る。リモートコンパニオン装置８６０は、医療用装置８２０又はローカルコンパニオン装置によって伝送された医療測定データを受信し、専門医に医療測定データの表示を提示し得る。医療測定データを査読後、専門医は、リモートコンパニオン装置８６０を介して患者側に指示を提供してもよい。いくつかの実施形態では、遠隔医療コンパニオンシステム８００は、医療用装置８２０及びリモートコンパニオン装置８６０を含むが、システム８００は、ローカルコンパニオン装置８３０を含まない。いくつかの場合では、専門医は、リモートコンパニオン装置８６０を使用して命令を入力することを介して患者側で使用される医療用装置８２０を制御し得る。いくつかの場合では、専門医は、リモートコンパニオン装置８６０を使用して命令を入力することを介してローカルコンパニオン装置８３０を制御し得る。リモートコンパニオン装置から送信された命令は、ローカルコンパニオン装置８３０及び／又は医療用装置８２０によって受信され、解釈され得る。例えば、専門医は、医療用装置８２０のフィルタリングモードを変更するか、あるいはローカルコンパニオン装置８３０の信号処理スキームを変更してもよい。
【００５０】
特定の実施形態では、遠隔医療コンパニオンシステムは、専門医側の多機能医療用装置を含む。専門医側の多機能医療用装置の制御ユニットは、患者側の多機能装置の多様な選択可能な制御及び設定を含み得る。これらの設定は、患者側多機能装置の、モード、音量、電力状態、記録設定、及び同様のものを制御するために選択されてもよい。いくつかの実施形態では、これらの設定は、ユーザーインターフェースを介しても選択可能である。
【００５１】
専門医側多機能装置の制御ユニットは、ローカル制御のみのために他の設定を残しつつ、患者側多機能装置にいくつかの設定の制御を可能にするように構成されてもよい。例えば、制御ユニットは、患者側多機能装置の音量が患者側でのみ制御可能である間（例えば、制御ユニット及び／又は患者側多機能装置上のユーザーインターフェース）、専門医側多機能装置のみの音量制御を提供してもよい。いくつかの実施形態では、専門医側多機能装置は、専門医側多機能装置上のユーザーインターフェースが安全なネットワークにわたって接続されるとき、患者側多機能装置の設定を制御するように、構成されてもよい。専門医側多機能装置は、患者側での音量調節を可能にしたまま、患者側多機能装置上に全ての設定を実質的に制御する（即ち、患者側でのローカル制御が本質的に無効にされる）ように構成されてもよい。
【００５２】
いくつかの実施形態では、遠隔医療コンパニオンシステム８００は、患者側のローカルコンパニオン装置８３０を含まない。そのような構成では、患者側の医療用装置８２０は、データを専門医側のリモートコンパニオン装置８６０に伝送し、それからの命令を受信する。
【００５３】
いくつかの実施形態では、ローカルコンパニオン装置８３０又はリモートコンパニオン装置８６０は、受信データ上のエラーチェックを行い、ユーザーインターフェース上のデータ品質を表示する。受信データ上でエラーが発見された場合、リモートコンパニオン装置８６０は、再びデータを伝送するためにローカルコンパニオン装置８３０を要求し得る。
【００５４】
いくつかの実施形態では、ローカルコンパニオン装置８３０又はリモートコンパニオン装置８６０は、医療測定信号に対して自動診断を行ってもよい。自動診断は、例えば、「Ａｎａｌｙｓｉｓ  ｏｆ  Ａｕｓｃｕｌｔａｔｏｒｙ  Ｓｏｕｎｄｓ  Ｕｓｉｎｇ  Ｓｉｎｇｌｅ  Ｖａｌｕｅ  Ｄｅｃｏｍｐｏｓｉｔｉｏｎ」と題する、米国特許第７，３００，４０５号、又は「Ｍｕｌｔｉ−ｍｏｄａｌ  ｃａｒｄｉａｃ  ｄｉａｇｎｏｓｔｉｃ  ｄｅｃｉｓｉｏｎ  ｓｕｐｐｏｒｔ  ｓｙｓｔｅｍ  ａｎｄ  ｍｅｔｈｏｄ」の米国特許第６，５７２，５６０号に記載される診断方法であってもよく、全体として参照により本明細書に組み込まれる。
【００５５】
いくつかの実施形態では、遠隔医療コンパニオンシステム８００は、サーバー８４０を含み得る。サーバーは、例えば、コンピュータ、一連のコンピュータ、クラウドコンピューティングサーバー、及び同様のものであってもよい。サーバー８４０は、装置登録及び承認、装置管理、及びデータ格納を提供し得る。いくつかの場合では、サーバーは、医療用装置８２０及びローカルコンパニオン装置８３０からの登録要求を受信し得る。いくつかの場合では、サーバーは、医療用装置８２０又はローカルコンパニオン装置８３０のいずれかからの医療測定データを受信し、データレポジトリ内に受信されたデータを格納し、リモートコンパニオン装置８６０に受信されたデータを伝送し得る。いくつかの場合では、サーバーは、認証スキームによって医療用装置８２０及びローカルコンパニオン装置８３０を認証してもよく、例示的実施形態は、下記に更に詳細に記載される。そのような構成では、サーバーは、医療用装置８２０及び／又はローカルコンパニオン装置８３０が認証された場合のみ、リモートコンパニオン装置８６０にデータを伝送できる。他の実施形態では、リモートコンパニオン装置８６０が、医療用装置８２０及び／又はローカルコンパニオン装置８３０に加えて、認証された場合のみ、伝送が可能となる場合がある。いくつかの場合では、サーバー８４０は、接続を要求する登録装置のそれぞれにＩＰアドレスを交換し、装置がネットワークを介して直接通信しデータを交換することを認めることができる。
【００５６】
好ましい実施形態では、遠隔医療コンパニオンシステムは、通信媒体として移動体通信ネットワークを使用する。いくつかの実施形態では、コンパニオン装置８６０及びサーバー８４０は、医療用装置８２０及びローカルコンパニオン装置がファイアウォールの外側にある間、保健医療情報管理システムのネットワークセキュリティファイアウォール内にある。移動体通信ネットワークの使用は、ファイアウォールにわたって安全な通信を可能にする。
【００５７】
図９は、別の例示的遠隔医療コンパニオンシステム９００を説明する。例示的実施形態では、患者側の医療用装置９１０及びローカルコンパニオン装置９２０は、移動体通信ネットワーク又は複数の移動体通信サービス提供者の移動体通信ネットワークを介して接続されてもよい。サーバー９３０は、移動体通信ネットワークに接続され得る。サーバー９３０はまた、他の有線及び／又は無線ネットワークに接続され得る。更に、専門医側のリモートコンパニオン装置９４０は、有線又は無線ネットワークを介して遠隔医療コンパニオンシステム８００に接続され得る。いくつかの場合では、リモートコンパニオン装置９４０は、移動体通信ネットワークを介して接続され得る。いくつかの実施形態では、医療用装置９１０及びローカルコンパニオン装置９２０がＢｌｕｅｔｏｏｔｈ又はＩＥＥＥ  ８０２．１１対応ネットワーク等の短距離無線ネットワークの有効範囲内である場合、医療用装置９１０及びローカルコンパニオン装置９２０は、短距離無線ネットワークを介して接続を確立できる。
【００５８】
図１０は、遠隔医療コンパニオンシステムの例示的機能フローチャートである。最初に、医療用装置及び第１のコンパニオン装置がサーバーに登録される（工程１０１０）。医療用装置及び第１のコンパニオン装置は、次の工程前にサーバーによって更に認証され得る。次に、医療用装置は、患者側で医療測定データを生成する（工程１０２０）。医療用装置は、第１のコンパニオン装置にデータを伝送する（工程１０３０）。いくつかの場合では、サーバーは医療用装置からのデータを受信でき、サーバーは、第１のコンパニオン装置にデータを転送できる。第１のコンパニオン装置は、データを受信し（工程１０４０）、ユーザーインターフェース上にデータの表示を提示する（工程１０５０）。
【００５９】
図１１は、遠隔医療コンパニオンシステムの別の例示的機能フローチャートである。最初に、任意の工程として、医療用装置及び第１のコンパニオン装置は、サーバーに登録される（工程１１１０）。医療用装置及び第１のコンパニオン装置は、次の工程前にサーバーによって更に認証され得る。次に、医療測定データは、医療用装置又は第１のコンパニオン装置のいずれかから伝送される（工程１１２０）。いくつかの場合では、第１のコンパニオン装置は、医療用装置によって生成される医療測定信号を望ましい形式及び品質を有する医療測定データに変換でき、第１のコンパニオン装置又は第２のコンパニオン装置を介してユーザー入力によって構成され得る。サーバーは、医療測定データを受信し（工程１１３０）、データを第２のコンパニオン装置に転送する（工程１１４０）。サーバーがデータを第２のコンパニオン装置に転送する前、サーバーは、適切に登録され、認証される第２のコンパニオン装置を必要とする可能性がある。いくつかの場合では、第２のコンパニオン装置は、医療用装置又は第１のコンパニオン装置のいずれかから伝送された医療測定データを受信してもよい。いくつかの場合では、サーバーは、データレポジトリで医療測定データを格納する。次に、第２のコンパニオン装置は、ユーザーインターフェース上に医療測定データの表示を提示する（工程１１５０）。任意に、専門医は、第２のコンパニオン装置を介して患者側に指示を提供してもよい（工程１１６０）。次に、医療用装置は、指示に従って使用される（工程１１７０）。例えば、専門医は、医療用装置を特定の方向に移動させるために介護者を指示してもよい。
【００６０】
いくつかの場合、専門医は、専門医側の第２のコンパニオン装置を介して患者側の第１のコンパニオン装置に命令を提供してもよい。第１のコンパニオン装置は、装置ドライバの設定を変更するか、あるいは命令に従って医療用装置の設定を変更してもよい。いくつかの他の場合では、第２のコンパニオン装置は、データを解析した後、第１のコンパニオン装置に命令を自動的に伝送できる。例えば、第２のコンパニオン装置は、データパケットが欠けていることを決定し、データパケットを再送信する第１のコンパニオン装置を要求できる。命令を受信後、第１のコンパニオン装置は、命令に従って動作する。特定の実施形態では、専門医側の第２の多機能医療用装置は、患者側の第１の多機能医療用装置に命令信号を伝送する。
【００６１】
遠隔医療応用のために、装置登録及び承認は、例えば、患者の守秘権を維持するための安全なデータトランザクションを確立するために重要であり得る。いくつかの実施形態では、医療用装置又はコンパニオン装置の電源が入れられた後、医療用装置又はコンパニオン装置は、サーバーへの接続を確立できる。接続を確立した後、医療用装置又はコンパニオン装置は、固有の識別及び認証情報を有するサーバーを提供できる。認証情報は、例えば、セキュリティ用語（パスワード）、セキュリティ証明書、又は同様のものであってもよい。いくつかの場合では、ハードウェアベース又はソフトウェアベースのトークンが認証情報とともに必要とされる場合、トークンベースの認証スキームが使用されてもよい。いくつかの場合では、サーバーは、承認された装置の識別、認証情報、及び他の情報を含む安全なディレクトリのリストを維持できる。サーバーは、安全なディレクトリのリストに基づき医療用装置又はコンパニオン装置を認証できる。いくつかの他の場合では、安全なディレクトリのリストは、１つ以上のコンパニオン装置を有する１つ以上の医療用装置のペアリング情報を含む場合がある。いくつかの実施形態では、認証された装置のみ、遠隔医療システム内の他の装置へのその後の接続を行うことができる。いくつかの他の実施形態では、専門医側のリモートコンパニオン装置がファイアウォールの外側で使用されるとき、このリモートコンパニオン装置は、患者側のローカルコンパニオン装置と接続を設定する前、サーバーによって認証されるために必要とされる。例えば、専門医が現地での医療処置を提供するために田舎の診療所に赴くとき、リモートコンパニオン装置は、専門医によって使用される場合がある。
【００６２】
図１２は、遠隔医療コンパニオンシステムの例示的装置登録手順のフローチャートである。初めに、医療用装置は、サーバーとの接続を確立する（工程１２１０）。次に、医療用装置は、サーバーに登録できる（工程１２２０）。いくつかの場合では、医療用装置は、登録の間、サーバーに識別情報を提供できる。医療用装置が適切に認証されるかをサーバーが決定する（工程１２３０）。例えば、サーバーは、安全なディレクトリのリストに基づき医療用装置を認証できる。医療用装置が適切に認証される場合、医療用装置は、コンパニオン装置の接続を待つ（工程１２４０、工程１２４５）。
【００６３】
一方では、コンパニオン装置は、サーバーとの接続を確立する（工程１２１５）。次に、コンパニオン装置は、サーバーに登録できる（工程１２２５）。コンパニオン装置は、登録の間、サーバーに識別情報を提供できる。コンパニオン装置が適切に認証されるかをサーバーが決定する（工程１２３５）。例えば、サーバーは、安全なディレクトリのリストに基づきコンパニオン装置を認証できる。コンパニオン装置が適切に認証される場合、コンパニオン装置は、医療用装置の接続を待つ（工程１２４０、工程１２４５）。医療用装置及びコンパニオン装置の両方がサーバーと接続される場合、サーバーは、医療用装置のアドレス及び可用性をコンパニオン装置に通知できる（工程１２５０）。最後に、コンパニオン装置は、医療用装置との接続を行うことができる（工程１２６０）。
【００６４】
代替実施形態では、サーバーは、コンパニオン装置のアドレス及び可用性を医療用装置に通知することができ、次に医療用装置は、コンパニオン装置との接続を行うことができる。いくつかの場合では、コンパニオン装置及び医療用装置は、サーバーによって供給されるアドレスを伴って互いに直接通信できる。いくつかの他の場合では、コンパニオン装置は、データをサーバーに送信でき、サーバーは、受信データを医療用装置に転送でき、医療用装置は、データをサーバーに送信でき、サーバーは、受信データをコンパニオン装置に転送できる。
【００６５】
医療用装置の稼動中の医療用センサの種類を決定するためのセンサ発見処理過程は、多機能医療用装置が遠隔医療コンパニオンシステムで利用されるとき、使用されてもよい。遠隔医療コンパニオンシステムのセンサ発見処理過程の例示的フローチャートは、図１３ａ及び１３ｂに説明される。第一に、医療用センサは、多機能医療用装置上の外部コネクタに接続される（工程１３１０）。第二に、多機能医療用装置は、接続された医療用センサの識別情報を要求する（工程１３１５）。次に、医療用センサは、識別情報に反応する（工程１３２０）。医療用センサの識別情報に基づき、多機能医療用装置は、医療用センサがサポートされるかを決定する（工程１３２５）。センサがサポートされていない場合、装置は、センサが、例えば、状態表示器を変更することによってサポートされていないこと（工程１３３０）を使用者に通知する場合がある。次に、装置がサポートされる場合、装置は、医療用センサのドライバが装置のメモリ内で利用可能か決定する（工程１３３５）。ドライバが利用できない場合、装置は、接続されたネットワークを介して医療用センサのドライバをダウンロードする（工程１３４０）。ドライバが利用可能である場合、装置は、医療用センサをサポートするための内部メモリからドライバをロードする（工程１３４５）。更に、医療用装置は、センサをサポートするための構成を修正する（工程１３５０）。例えば、ディスプレイ構成又は制御要素は、稼動中のセンサの種類に基づき修正されてもよい。センサ種類が決定された後、医療用装置は、最新登録情報をサーバーに送信する（工程１３５５）。サーバーは、医療用装置の最新登録情報を患者側及び／又は専門医側のコンパニオン装置に送信する（工程１３６０）。コンパニオン装置は、使用中の医療用センサをサポートするためにそれぞれのユーザーインターフェースを修正する（工程１３６５）。
【００６６】
遠隔医療応用のために、医療測定信号の忠実な再生は、データ伝送中が望ましい。ここで、忠実な再生は、（例えば、エラー修正をして）デジタル的に正確な複製又は十分に正確な再生を意味する。ＥＣＧ又は心音等のストリーミングデータのために、例として、デジタルデータは、デジタル化された値及びタイミングを正確に複製するために必要とされる。遠隔医療コンパニオンシステムの構成要素が安全なネットワーク接続にわたって結合されているとき、信号は、実質的リアルタイムに医療用装置とコンパニオン装置との間に送信され得る。いくつかの実施形態では、信号は、実質的リアルタイムに患者側の医療用装置とコンパニオン装置とサーバー、専門医側のリモートコンパニオン装置との間に送信され得る。例えば、医療用装置によって取り込まれる体内音は、実質的リアルタイムに患者側のローカルコンパニオン装置から専門医側のリモートコンパニオン装置に伝送され得る。体内音もまた、実質的リアルタイムにサーバーで再生され得る。更に、医療測定データは、医療用装置、ローカルコンパニオン装置、又は両方のいずれかにより記録され、格納され、後で伝送され得る。
【００６７】
いくつかの実施形態では、患者側の医療用装置又はローカルコンパニオン装置により及びネットワークにわたって伝送された信号は、医療用装置又はローカルコンパニオン装置によりパケット化され、列挙され、専門医側の第２のコンパニオン装置で忠実なデータ品質及び確実な再生を確保するためにサーバー又は専門医側のリモートコンパニオン装置のいずれかによりエラーチェックを経る。エラーチェックは、患者側から専門医側に正確なデータ伝送の更なる確保として遠隔医療コンパニオンシステム（即ち、患者側医療用装置及びローカルコンパニオン装置、任意のサーバー、並びに専門医側のリモートコンパニオン装置）のそれぞれの構成要素により行われてもよい。エラーチェックは、巡回冗長検査（ＣＲＣ）、チェックサム、水平及び垂直冗長検査、ハッシュ関数、反復符号などが挙げられるが、これらに限定されない、任意の好適なデータ伝送検査手技を用いてもよい。このシステムは、例えば、通信リンク内の過剰データ又はデータスタベーションを判定するために行われるサンプルスループットの測定も組み込んでよい。要するに、患者側の医療用装置又はローカルコンパニオン装置のいずれかからのデータパケットは、ネットワーク上で専門医側のリモートコンパニオン装置に直接中継される（即ち、反射させられる）。
【００６８】
好ましい実施形態では、遠隔医療コンパニオンシステムは、基盤をなす通信システム又はネットワーク（例えば、Ｂｌｕｅｔｏｏｔｈ、伝送制御プロトコル／インターネットプロトコル（ＴＣＰ／ＩＰ））プロトコルから独立したエラーチェック及び検証を含む。独立のエラーチェックは、信号が患者のいる場所から伝送された医療測定データの忠実な再生であることを更に確実にするように、遠隔医療コンパニオンシステムの任意の構成要素で行われてもよい。特定の好ましい実施形態では、基盤をなすシステムのサービスの中断はその継続時間と重大さにより分類され、全てのエラーは、信号が忠実に再生されない（遠隔医療コンパニオンシステムの１つ以上の構成要素を介した）通信をもたらす。例えば、患者側構成要素は、データパケット又は他の信号を５００ミリ秒おきに専門医側システム構成要素に送信できる。基盤をなす通信システム又はネットワークが５００ミリ秒を超えて中断すると、パケット／信号がドロップされ、その結果、専門医側においてデータ品質低下の表示（例えば、表示器の色を変更することで）が示される結果となってもよい。
【００６９】
いくつかの場合では、コンパニオン装置のユーザーインターフェースは、ディスプレイ構成要素、音声構成要素、振動構成要素、及び他の構成要素のうちの１つ以上を含んでよい。いくつかの場合では、ディスプレイ構成要素は、患者情報、医療用装置情報、及び受信された医療測定データの表示を提示してもよい。いくつかの場合では、ディスプレイ構成要素は、患者側で使用されている複数の医療用装置又は医療用センサによって生成されたデータを同時に提示してもよい。いくつかの場合では、音声構成要素は、患者側で収集された音響信号を再生してもよい。例えば、音声構成要素は、患者側の聴診器によって記録された体内音を再生するスピーカーである。更に、ユーザーインターフェースは、特定の構成可能な状態で振動する振動構成要素を含む。例えば、振動構成要素は、パルスオキシメーターによって測定された酸素飽和度が９０未満であるとき、振動し得る。
【００７０】
いくつかの実施形態では、第２のコンパニオン装置及び／又は第１のコンパニオン装置のユーザーインターフェースは、専門医側で受信された医療測定データが患者側から伝送された医療測定データの忠実な再生であるかどうかの視覚及び／又は音声表示を更に含んでよい。いくつかの実施形態では、ユーザーインターフェースは、忠実な再生が専門医側で発生しているかを表示するための色彩を変更する忠実度表示器を含んでよい。例えば、忠実度表示器は、医療測定データが忠実な再生であるとき、緑色で示され、医療測定データが忠実な再生でないとき、赤色で示されてもよい。表示は、サーバー及び／又は専門医側のリモートコンパニオン装置によって行われるエラー検出に基づいてもよい。エラー検出もまた、患者側の医療用装置又はローカルコンパニオン装置によって行われてもよい。例えば、エラーがサーバーによって識別される場合、サーバーは、患者側の医療用装置又はローカルコンパニオン装置によって送信されたデータのように受信されたデータが忠実な再生でないとリモートコンパニオン装置に信号を送信してもよい。この表示は次に、リモートコンパニオン装置のユーザーインターフェースによって提供されてもよく、リモートコンパニオン装置を介して提示されたデータが忠実な再生でないと専門医側の臨床医に示す。ローカルコンパニオン装置のユーザーインターフェースもまた、忠実な再生の表示を提供する。別の実施形態では、エラーがないことがシステム構成要素に報告される。
【００７１】
図１４は、手持ち式装置であり得る、コンパニオン装置上のユーザーインターフェース１４００の実施形態のスクリーンショットである。ユーザーインターフェース１４００は、テレビ会議用ディスプレイセクション１４１０、使用されている医療用装置の画像を示すディスプレイセクション１４２０、及び状態／モード表示器１４３０を含み得る。図１５は、コンパニオン装置上のユーザーインターフェース１５００の実施形態の別のスクリーンショットである。ユーザーインターフェース１５００は、テレビ会議用ディスプレイセクション１５１０、医療用装置への制御情報を入力するインターフェースの部分１５２０、状態／モード表示器１５３０、及び医療測定データを提示するためのディスプレイセクション１５４０を含み得る。コンパニオン装置上のユーザーインターフェースの別の例示的実施形態が図１６に説明される。例えば、これは、ノートパソコン又はパーソナルコンピュータ上のユーザーインターフェースであってもよい。ユーザーインターフェース１６００は、医療用装置情報を提示するためのディスプレイセクション１６１０、状態／モード表示器１６２０、使用中の医療用センサの種類を示し、使用者が１つ以上のセンサを選択可能にするためのディスプレイセクション１６３０、医療用装置への制御情報を入力するインターフェースの部分１６４０、及び医療測定データを提示するためのディスプレイセクション１６５０を含み得る。
【００７２】
例示的実施形態
１．多機能医療用装置であって、
手持ち式操作用に構成されるハウジングと、該ハウジング内の処理ユニットと、該ハウジングに連結され、該処理ユニットと通信する第１の医療用センサであって、医療測定信号を生成するように動作可能である、第１の医療用センサと、該処理ユニットに連結され、複数の異なる種類の医療用センサに接続するように動作可能なコネクタであって、それぞれの種類の医療用センサが、対応する医療測定信号を生成するように動作可能である、コネクタと、を備え、該処理ユニットが、該コネクタに接続された第２の医療用センサの種類を決定し、該コネクタに接続された該第１の医療用センサ及び該第２の医療用センサから医療測定信号を受信し、ネットワークを介して該受信された信号を伝送するように構成され、該第１の医療用センサ及び該第２の医療用センサは、使用中に同時に動作可能である、多機能医療用装置。
【００７３】
２．該ハウジングが密封される、実施形態１に記載の多機能医療用装置。
【００７４】
３．該処理ユニットが、該受信された信号を生成する該医療用センサの該対応する種類に基づき該受信された信号を処理し、該処理された信号に基づきデータパケットを作成し、ネットワークを介して該データパケットを伝送するように構成される、実施形態１に記載の多機能医療用装置。
【００７５】
４．該第１の医療用センサは、該ハウジングの第１の端部に隣接して位置決めされた、聴診信号を感知する変換器を備える、実施形態１に記載の多機能医療用装置。
【００７６】
５．該コネクタは、該ハウジングの外表面上にあり、医療用センサに物理的に接続するように構成される、実施形態１に記載の多機能医療用装置。
【００７７】
６．該第１の医療用センサは、検査カメラであり、該ハウジングは、第１の端部及び該第１の端部と反対側の第２の端部を有し、該検査カメラは、該ハウジングの該第１の端部又は該第２の端部の上に位置決めされる、実施形態１に記載の多機能医療用装置。
【００７８】
７．該コネクタは、医療用センサに無線で接続されるように構成される無線接続ポートを備える、実施形態１〜６のいずれか一項に記載の多機能医療用装置。
【００７９】
８．該第１の医療用センサ及び該第２の医療用センサは、聴診器、心電図検査用センサ、グルコース計測器、パルスオキシメーター、検査カメラ（これは、仕様によって内視鏡＆耳鏡を含む）、血圧計、肺活量計、温度計、及び検眼鏡のうちの１つ以上を含む、実施形態１〜６のいずれか一項に記載の多機能医療用装置。
【００８０】
９．該ハウジングの該外表面の一部分上にユーザーインターフェースを更に備え、該ユーザーインターフェースの少なくとも一部分は、該稼動中の医療用センサの種類に基づき医療用センサの種類の表示を示す、実施形態１〜６のいずれか一項に記載の多機能医療用装置。
【００８１】
１０．該ハウジングは、伸長された本体を有し、該ユーザーインターフェースは、手持ち式の使用において、少なくとも部分的に見えることができ、該ユーザーインターフェースは、該第１の医療用センサ及び第２の医療用センサのうちの少なくとも１つからの医療測定信号を示す、実施形態９に記載の多機能医療用装置。
【００８２】
１１．制御信号を生成するための制御ユニットを更に備え、該ハウジングは、伸長された本体を有し、該制御ユニットは、手持ち式の使用において、少なくとも部分的にアクセス可能である、実施形態１〜６のいずれか一項に記載の多機能医療用装置。
【００８３】
１２．該制御ユニットは、該ハウジング内に位置し、該処理ユニットに動作可能に接続された、加速度計、ジャイロスコープ、音声変換器、及び周辺光センサのうちの少なくとも１つを含む、実施形態１１に記載の多機能医療用装置。
【００８４】
１３．ユーザーインターフェースを更に備え、該ユーザーインターフェースの構成は、該制御信号に基づき変更される、実施形態１２に記載の多機能医療用装置。
【００８５】
１４．該制御ユニットは、地理的な関連情報を決定するためのＧＰＳユニットを備え、該処理ユニットは、該ＧＰＳユニットから地理的な関連情報を受信し、ネットワークを介して地理的な関連情報を伝送する、実施形態１２に記載の多機能医療用装置。
【００８６】
１５．手持ち式操作用に構成されるハウジングと、外表面、伸長された本体、第１の端部、及び該第１の端部と反対側の第２の端部を有するハウジングと、該ハウジング内の処理ユニットと、該ハウジングの該第１の端部上に位置決めされた、該処理ユニットに連結された検査カメラと、該ハウジングの外表面上のコネクタであって、該コネクタは、該処理ユニットに連結され、複数の異なる種類の医療用センサに接続するように動作可能であり、それぞれの種類の医療用センサは、対応する医療測定信号を生成するように動作可能である、コネクタと、を備え、該処理ユニットは、該コネクタに接続された医療用センサの種類を決定し、該コネクタに接続された該検査カメラ及び該医療用センサから医療測定信号を受信するように構成される、多機能医療用装置。
【００８７】
１６．医療用装置であって、手持ち式操作用に構成されるハウジングと、医療用センサから生成された医療測定信号を受信するための通信ポートと、該医療測定信号を受信し、第１の安全な無線接続を介して該医療測定信号を示す第１のデータを伝送するように構成される、該ハウジング内のプロセッサと、を備える、医療用装置と、ユーザーインターフェースを備える第１のコンパニオン装置であって、第２の安全な無線接続を介して該医療用装置から該第１のデータを受信し、該第１のコンパニオン装置の該ユーザーインターフェース上に該第１のデータの表示を提示するように構成される、第１のコンパニオン装置と、を備え、該医療用装置は、該医療用装置を登録し、認証する要求をサーバーに送信することができ、該第１のコンパニオン装置は、第１のコンパニオン装置を登録し、認証する要求をサーバーに送信することができる、システム。
【００８８】
１７．ユーザーインターフェースを備える第２のコンパニオン装置であって、該第２のコンパニオン装置は、該医療用装置及び該第１のコンパニオン装置のうちの少なくとも１つから伝送された第２のデータを受信し、該第２のコンパニオン装置のユーザーインターフェース上に該第２のデータの表示を提示するように構成される、第２のコンパニオン装置を更に備える、実施形態１６に記載のシステム。
【００８９】
１８．該通信ポートは、該ハウジングの該外表面上にコネクタを備え、医療用センサに物理的に接続するように構成され、該コネクタは、複数の異なる種類の医療用センサに接続するように動作可能である、実施形態１６又は１７に記載のシステム。
【００９０】
１９．該医療用装置は、該サーバーに認証された該第１のコンパニオン装置のみと通信するように構成される、実施形態１６に記載のシステム。
【００９１】
２０．医療用装置によって、医療測定信号を生成する工程と、該医療用装置によって、第１の安全な無線ネットワークを介して該医療測定信号を示す第１のデータを伝送する工程と、第１のコンパニオン装置によって、第２の安全な無線ネットワークを介して該医療用装置から該第１のデータを受信する工程と、該第１のコンパニオン装置によって、ユーザーインターフェース上に該第１のデータの表示を提示する工程と、サーバーによって、該医療用装置から伝送された要求に基づき該医療用装置を登録し、認証する工程と、該サーバーによって、該第１のコンパニオン装置から伝送された要求に基づき該第１のコンパニオン装置を登録し、認証する工程と、を含む、方法。
【００９２】
２１．第２のコンパニオン装置によって、該医療用装置及び該第１のコンパニオン装置のうちの少なくとも１つから伝送された第２のデータを受信する工程と、該第２のコンパニオン装置によって、ユーザーインターフェース上に該第２のデータの表示を提示する工程と、を更に含む、実施形態２０に記載の方法。
【００９３】
２２．該通信ポートは、該ハウジングの該外表面上にコネクタを備え、医療用センサに物理的に接続するように構成され、該コネクタは、複数の異なる種類の医療用センサに接続するように動作可能である、実施形態２０又は２１に記載の方法。
【図１ａ】
2014502172.tif 000003
【図１ｂ】
2014502172.tif 000004
【図２】
2014502172.tif 000005
【図３】
2014502172.tif 000006
【図４】
2014502172.tif 000007
【図５】
2014502172.tif 000008
【図６】
2014502172.tif 000009
【図７】
2014502172.tif 000010
【図８】
2014502172.tif 000011
【図９】
2014502172.tif 000012
【図１０】
2014502172.tif 000013
【図１１】
2014502172.tif 000014
【図１２】
2014502172.tif 000015
【図１３ａ】
2014502172.tif 000016
【図１３ｂ】
2014502172.tif 000017
【図１４】
2014502172.tif 000018
【図１５】
2014502172.tif 000019
【図１６】
2014502172.tif 000020
【国際調査報告】
2014502172.tif 000021
2014502172.tif 000022
2014502172.tif 000023